(57)【特許請求の範囲】
【請求項１】
ポジ画像またはネガ画像を撮像し，ポジ画像またはネガ画像を表わす赤，緑，青の色信号を出力する撮像手段，
上記撮像手段から出力される赤，緑，青の色信号のピーク値を検出するピーク検波回路，
ポジ画像の映像信号の白ピーク・レベルまたはネガ画像の映像信号の黒ピーク・レベルに関する赤，緑，青のそれぞれの色信号の規定ピーク値をあらかじめ記憶する記憶手段，
上記撮像手段から出力される赤，緑，青の色信号にもとづいて，上記撮像手段によって撮像されたポジ画像に白色が含まれていないかどうか，またはネガ画像に黒色が含まれていないかどうかを判定する判定手段，および
上記判定手段により，撮像したポジ画像の中に白色が含まれていない，または撮像したネガ画像の中に黒色が含まれていないと判定されたときに，上記ピーク検波回路によって検出される赤，緑，青の色信号のピーク値のレベルが，上記記憶手段にあらかじめ記憶されている上記白ピーク・レベルまたは上記黒ピーク・レベルに関する赤，緑，青の色信号の規定ピーク値のレベルとなるように上記色信号のレベルをそれぞれ調整し，調整された赤，緑，青の色信号を出力する色バランス調整手段，
を備えた撮像装置。
【請求項２】
上記判定手段が，
上記撮像手段から出力される赤，緑，青の色信号のそれぞれのピーク値のうちの最も大きなピーク値と最も小さなピーク値との差が，あらかじめ定められた所定範囲内にないときに，撮像されたポジ画像に白色が含まれていない，またはネガ画像に黒色が含まれていないと判定するものである，
請求項１に記載の撮像装置。
【請求項３】
ポジ画像での白ピーク・レベルまたはネガ画像での黒ピーク・レベルに関する赤，緑，青のそれぞれの色信号の規定ピーク値をそれぞれ複数記憶した上記記憶手段，
上記記憶手段に記憶されている赤，緑，青のそれぞれの色信号に関する複数の規定ピーク値の中から，各色信号についていずれか一つの規定ピーク値を選択する選択手段，および
上記判定手段により，撮像したポジ画像の中に白色が含まれていない，または撮像したネガ画像の中に黒色が含まれていないと判定されたときに，上記撮像手段から出力される赤，緑，青の色信号のピーク値のレベルが，上記記憶手段にあらかじめ記憶されている上記白ピーク・レベルまたは上記黒ピーク・レベルに関する赤，緑，青の色信号の複数の規定ピーク値のうち上記選択手段により選択された規定ピーク値のレベルとなるように上記色信号のレベルをそれぞれ調整し，調整された赤，緑，青の色信号を出力する上記色バランス調整手段，
を備えた請求項１に記載の撮像装置。
【請求項４】
ポジ画像の映像信号の白ピーク・レベルまたはネガ画像の映像信号の黒ピーク・レベルに関する赤，緑，青の色信号の規定ピーク値をあらかじめ記憶しておき，
ポジ画像またはネガ画像を撮像し，ポジ画像またはネガ画像を表わす赤，緑，青の色信号を得，
撮像によって得られる赤，緑，青の色信号にもとづいて，撮像されたポジ画像に白色が含まれていないかどうか，またはネガ画像に黒色が含まれていないかどうかを判定し，
撮像したポジ画像の中に白色が含まれていない，または撮像したネガ画像の中に黒色が含まれていないと判定されたときに，撮像により得られる赤，緑，青の色信号のピーク値のレベルが，あらかじめ記憶されている上記白ピーク・レベルまたは上記黒ピーク・レベルに関する赤，緑，青の色信号の規定ピーク値のレベルとなるように上記色信号のレベルをそれぞれ調整し，
調整された赤，緑，青の色信号を出力する，
撮像方法。
【請求項５】
上記判定処理が，
撮像によって得られる赤，緑，青の色信号のそれぞれのピーク値のうちの最も大きなピーク値と最も小さなピーク値との差が，あらかじめ定められた所定範囲内にないときに，撮像されたポジ画像に白色が含まれていない，またはネガ画像に黒色が含まれていないと判定するものである，
請求項４に記載の撮像方法。
【請求項６】
ポジ画像での白ピーク・レベルまたはネガ画像での黒ピーク・レベルに関する赤，緑，青のそれぞれの色信号の規定ピーク値をそれぞれ複数記憶しておき，
記憶されている赤，緑，青のそれぞれの色信号に関する複数の規定ピーク値の中から，各色信号についていずれか一つの規定ピーク値を選択し，
撮像したポジ画像の中に白色が含まれていない，または撮像したネガ画像の中に黒色が含まれていないと判定されたときに，撮像によって得られた赤，緑，青の色信号のピーク値のレベルが，あらかじめ記憶されている上記白ピーク・レベルまたは上記黒ピーク・レベルに関する赤，緑，青の色信号の複数の規定ピーク値のうち選択された規定ピーク値のレベルとなるように上記色信号のレベルをそれぞれ調整し，
調整された赤，緑，青の色信号を出力する，
請求項４に記載の撮像方法。
【発明の詳細な説明】
【０００１】
【技術分野】
この発明は，とくにネガ・フィルムおよびポジ・フィルムを被写体とする撮像装置および撮像方法に関する。
【０００２】
【背景技術】
ネガ・フィルムまたはポジ・フィルムに表わされた原稿などを撮像し，得られた映像信号をＣＲＴ表示装置またはＴＶプロジェクタ等の表示装置に与え，再生画像を拡大して示すプレゼンテーション・システムが知られている。このようなシステムにおいては，被写体を撮像することにより得られる映像信号を用いて色バランス調整が行なわれることが多い。
【０００３】
この色バランス調整は，撮像によって得られる被写体像のうち最も明るい部分を白い部分とみなして行なっている。すなわち，Ｒ（赤）信号，Ｇ（緑）信号およびＢ（青）信号のうち最も大きなピーク・レベルをもつ色信号のピーク・レベルに他の色信号のピーク・レベルを一致させることにより色バランス調整が行なわれる。
【０００４】
しかし，現実には白色でない部分を白色とみなしていることがあるため，テレビジョン・スクリーンなどに表示される画像の色合いが悪くなることがある。
【０００５】
また，ネガ画像の撮像装置では次のような問題もある。
【０００６】
一般のネガ画像の撮像装置では撮像によって得られたネガ画像の映像信号のピーク・レベルを検出し，このピーク・レベルがポジ画像を表わす映像信号のブランキング信号のブランキング・レベルとなるようにネガポジ反転が行なわれる。ネガポジ反転により得られるポジ画像の映像信号がテレビジョン・スクリーンなどの表示装置に与えられ，再生画像が表示される。
【０００７】
ネガ画像に黒い部分があるときは，その黒い部分から得られる映像信号のピーク・レベルがネガポジ変換後のポジ画像の映像信号のブランキング・レベルとなり，比較的適正な色合いをもつ再生画像が得られる。しかし，ネガ画像に黒い部分が無いときは最も暗い部分，たとえば灰色の部分から得られるピーク・レベルがネガポジ変換後のポジ画像の映像信号のブランキング・レベルとなるため，ポジ画像に反転後の再生画像の色合い，明るさが悪くなることがある。
【０００８】
【発明の開示】
この発明は，ポジ画像の撮像装置，ネガ画像の撮像装置において比較的適正な色合い，明るさをもつ画像を得ることができるようにすることを目的とする。
【０００９】
第１の発明の撮像装置は，ポジ画像またはネガ画像を撮像し，ポジ画像またはネガ画像を表わす赤，緑，青の色信号を出力する撮像手段，上記撮像手段から出力される赤，緑，青の色信号のピーク値を検出するピーク検波回路，ポジ画像の映像信号の白ピーク・レベルまたはネガ画像の映像信号の黒ピーク・レベルに関する赤，緑，青のそれぞれの色信号の規定ピーク値をあらかじめ記憶する記憶手段，上記撮像手段から出力される赤，緑，青の色信号にもとづいて，上記撮像手段によって撮像されたポジ画像に白色が含まれていないかどうか，またはネガ画像に黒色が含まれていないかどうかを判定する判定手段，および上記判定手段により，撮像したポジ画像の中に白色が含まれていない，または撮像したネガ画像の中に黒色が含まれていないと判定されたときに，上記ピーク検波回路によって検出される赤，緑，青の色信号のピーク値のレベルが，上記記憶手段にあらかじめ記憶されている上記白ピーク・レベルまたは上記黒ピーク・レベルに関する赤，緑，青の色信号の規定ピーク値のレベルとなるように上記色信号のレベルをそれぞれ調整し，調整された赤，緑，青の色信号を出力する色バランス調整手段を備えていることを特徴とする。
【００１０】
第１の発明の撮像方法は，ポジ画像の映像信号の白ピーク・レベルまたはネガ画像の映像信号の黒ピーク・レベルに関する赤，緑，青の色信号の規定ピーク値をあらかじめ記憶しておき，ポジ画像またはネガ画像を撮像し，ポジ画像またはネガ画像を表わす赤，緑，青の色信号を得，撮像によって得られる赤，緑，青の色信号にもとづいて，撮像されたポジ画像に白色が含まれていないかどうか，またはネガ画像に黒色が含まれていないかどうかを判定し，撮像したポジ画像の中に白色が含まれていない，または撮像したネガ画像の中に黒色が含まれていないと判定されたときに，撮像により得られる赤，緑，青の色信号のピーク値のレベルが，あらかじめ記憶されている上記白ピーク・レベルまたは上記黒ピーク・レベルに関する赤，緑，青の色信号の規定ピーク値のレベルとなるように上記色信号のレベルをそれぞれ調整し，調整された赤，緑，青の色信号を出力することを特徴とする。
【００１１】
第１の発明によると，撮像したポジ画像の中に白色が含まれていないとき，または撮像したネガ画像の中に黒色が含まれていないときには，撮像によって得られる赤，緑，青の色信号のピーク値のレベルがあらかじめ記憶されている上記白ピーク・レベルに関する規定ピーク値または上記黒ピーク・レベルに関する規定ピーク値となるように色信号のレベルが調整される。したがって撮像したポジ画像の中に白色が含まれていないとき，またはネガ画像の中に黒色が含まれていないときでも適正な色バランス調整ができ，比較的色合いのよい再生画像が得られる。
【００１２】
上記における赤，緑，青の色信号のレベル調整はたとえば赤，緑，青の色信号を入力し増幅して出力する増幅回路のゲインを調整することにより達成される。
【００１３】
上記判定処理は，撮像によって得られる赤，緑，青の色信号のそれぞれのピーク値のうちの最も大きなピーク値と最も小さなピーク値との差が，あらかじめ定められた所定範囲内にないときに，撮像されたポジ画像に白色が含まれていない，またはネガ画像に黒色が含まれていないと判定することが好ましい。
【００１４】
上記所定範囲は，ポジ画像の白色またはネガ画像の黒色を表わす赤，緑，青の色信号のそれぞれのピーク値のうちの最も大きなピーク値と最も小さなピーク値との差に関連して定められる。
【００１５】
またポジ画像での白ピーク・レベルまたはネガ画像での黒ピーク・レベルに関する赤，緑，青のそれぞれの色信号の規定ピーク値をそれぞれ複数記憶しておき，記憶されている赤，緑，青のそれぞれの色信号に関する複数の規定ピーク値の中から，各色信号についていずれか一つの規定ピーク値を選択し，撮像したポジ画像の中に白色が含まれていない，または撮像したネガ画像の中に黒色が含まれていないと判定されたときに，撮像によって得られた赤，緑，青の色信号のピーク値のレベルが，あらかじめ記憶されている上記白ピーク・レベルまたは上記黒ピーク・レベルに関する赤，緑，青の色信号の複数の規定ピーク値のうち選択された規定ピーク値のレベルとなるように上記色信号のレベルをそれぞれ調整し，調整された赤，緑，青の色信号を出力するとよい。
【００１６】
これによりポジ画像またはネガ画像の種類に応じた色バランス調整が可能となる。
【００１７】
第２の発明の撮像装置は，ネガ画像を撮像し，ネガ画像を表わす映像信号を出力する撮像手段，上記撮像手段から出力される映像信号のピーク値を検出するピーク検波回路，ネガ画像の映像信号の黒ピーク値に関する規定ピーク値をあらかじめ記憶する記憶手段，上記撮像手段から出力されるネガ画像を表わす映像信号にもとづいて，撮像されたネガ画像に黒色が含まれていないかどうかを判定する判定手段，および上記判定手段により，撮像したネガ画像の中に黒色が含まれていると判定されたときには，上記ピーク検波回路によって検出されたピーク値のレベルがポジ画像の映像信号のブランキング・レベルとなる様に上記映像信号をネガポジ反転し，撮像したネガ画像の中に黒色が含まれていないと判定されたときには，上記ピーク検波回路によって検出されたピーク値のレベルが上記記憶手段に記憶されている上記黒ピーク値に関する規定ピーク値のレベルとなるように上記映像信号のレベルを調整し，調整されたピーク値のレベルがポジ画像の映像信号のブランキング・レベルになる様に，調整された映像信号をネガポジ反転し，ネガポジ反転された映像信号を出力するネガポジ反転回路を備えていることを特徴とする。
【００１８】
第２の発明の撮像方法は，ネガ画像の映像信号の黒ピーク値に関する規定ピーク値をあらかじめ記憶しておき，ネガ画像を撮像し，ネガ画像を表わす映像信号を得，撮像によって得られる映像信号のピーク値を検出し，撮像によって得られる映像信号にもとづいて，撮像されたネガ画像に黒色が含まれていないかどうかを判定し，撮像したネガ画像の中に黒色が含まれていると判定されたときには，上記ピーク検波処理によって検出されたピーク値のレベルがポジ画像の映像信号のブランキング・レベルとなる様に上記映像信号をネガポジ反転し，撮像したネガ画像の中に黒色が含まれていないと判定されたときには，上記ピーク検波処理によって検出されたピーク値のレベルが記憶されている上記黒ピーク値に関する規定ピーク値のレベルとなるように上記映像信号のレベルを調整し，調整されたピーク値のレベルがポジ画像の映像信号のブランキング・レベルとなる様に，調整された映像信号をネガポジ反転し，ネガポジ反転された映像信号を出力することを特徴とする。
【００１９】
第２の発明によると，撮像したネガ画像に黒色が含まれていないときには，検出されたピーク値のレベルがあらかじめ記憶されている黒ピーク値に関する規定ピーク値のレベルとなるように映像信号のレベルが調整され，調整された映像信号のピーク値のレベルがポジ画像の映像信号のブランキング・レベルになる様に調整された映像信号がネガポジ反転される。このためネガ画像の灰色の部分の映像信号がピーク値のときにこのピーク値のレベルがポジ画像の映像信号のブランキング・レベルとなる様に，調整された映像信号がネガポジ反転されることもない。したがって表示されるポジ画像の明るさの狂いを防止できる。
【００２０】
上記判定処理は，撮像によって得られる映像信号のうち赤，緑，青の色信号のそれぞれのピーク値のうちの最も大きなピーク値と最も小さなピーク値との差が，あらかじめ定められた所定範囲内にないときに，撮像されたネガ画像に黒色が含まれていないと判定することにより達成できる。
【００２１】
上記所定範囲は，ネガ画像の黒色を表わす赤，緑，青の色信号のそれぞれのピーク値のうちの最も大きなピーク値と最も小さなピーク値との差に関連してあらかじめ定められる。
【００２２】
また上記判定処理は，Ｒ−ＹおよびＢ−Ｙの色差信号のレベルがほぼ零のときに，撮像されたネガ画像に黒色が含まれていると判定してもよい。
【００２３】
上記ピーク検波処理により検出されたピーク値のレベルを調整する，ネガ画像の映像信号の黒ピーク値以下の所定値をあらかじめ記憶しておき，撮像したネガ画像の中に黒色が含まれていないと判定されたときには上記ピーク検波処理によって検出されたピーク値のレベルが，記憶されている上記所定値に上記ピーク検波処理により検出されたピーク値を加算した加算値のレベルとなるように上記映像信号中のピーク・レベルを置き換え，置き換えられたピーク値のレベルがポジ画像の映像信号のブランキング・レベルになる様に，調整された映像信号をネガポジ反転し，ネガポジ反転された映像信号を出力してもよい。
【００２４】
上記加算値は，常に検出されたピーク値以上となる。このためネガ画像に黒色が含まれていず，最も黒い部分が灰色であったとしても灰色よりも黒い色のレベルがネガポジ変換後のポジ画像の映像信号のブランキング・レベルとなる。したがって明るさの適正なポジ画像が得られるようになる。
【００２５】
ネガ画像の映像信号の黒ピーク値を複数記憶しておき，記憶されている複数の黒ピーク値の中から，いずれか一つの黒ピーク値を選択し，撮像したネガ画像に黒色が含まれていないと判定されたときには撮像によって得られる映像信号のピーク値のレベルが，記憶されている黒ピーク値のうち選択された黒ピーク値のレベルとなるように上記映像信号のレベルを調整し，調整されたピーク値のレベルがポジ画像の映像信号のブランキング・レベルになる様に，調整された映像信号をネガポジ反転し，ネガポジ反転された映像信号を出力してもよい。
【００２６】
ネガ画像の種類に応じた黒ピーク値を選択できるので，ネガ画像の種類に応じて適正な明るさの再生画像を表示できる。
【００２７】
第３の発明の撮像装置は，ネガ・フィルムの非露光領域を撮像して得られる映像信号のピーク値をあらかじめ記憶する記憶手段，ネガ・フィルムを撮像し，ネガ・フィルムに記録されたネガ画像を表わす映像信号を出力する撮像手段，および上記撮像手段から出力される映像信号のピーク値のレベルが上記記憶手段に記憶されているピーク値のレベルとなるように，上記撮像手段から出力される映像信号のレベルを調整し，調整されたピーク値のレベルがポジ画像の映像信号のブランキング・レベルとなる様に，レベル調整された映像信号をネガポジ反転し，ネガポジ反転された映像信号を出力するネガポジ反転回路を備えていることを特徴とする。
【００２８】
第３の発明の撮像方法は，ネガ・フィルムの非露光領域を撮像して得られる映像信号のピーク値をあらかじめ記憶しておき，ネガ・フィルムを撮像し，ネガ・フィルムに記録されたネガ画像を表わす映像信号を得，撮像によって得られる映像信号のピーク値のレベルが記憶されているピーク値のレベルとなるように，撮像によって得られる映像信号のレベルを調整し，調整されたピーク値のレベルがポジ画像の映像信号のブランキング・レベルになる様に，レベル調整された映像信号をネガポジ反転し，ネガポジ反転された映像信号を出力することを特徴とする。
【００２９】
ネガ・フィルムの非露光領域には，ネガ・フィルムの空駒の領域または撮像駒間の領域がある。
【００３０】
ネガ・フィルムの非露光領域はポジ画像に反転したときには最も暗いのが一般的である。第３の発明によると，ネガ・フィルムの空駒の領域またはネガ・フィルムの撮像駒間の領域などの非露光領域を撮像することによって得られる映像信号のピーク値があらかじめ記憶されている。あらかじめ記憶されているピーク値のレベルがポジ画像の映像信号のブランキング・レベルとなるようにネガ／ポジ反転されるので，ネガ画像に黒い部分が含まれていないときでも表示されるポジ画像は適正な明るさとなる。
【００３１】
上記において，ネガ・フィルムの非露光領域を撮像して得られる映像信号のピーク値を複数記憶しておき，記憶されている複数のピーク値の中から，いずれか一つのピーク値を選択し，撮像によって得られる映像信号のピーク値のレベルが，上記記憶手段に記憶されているピーク値のうち上記選択手段により選択されたピーク値のレベルとなるように調整し，調整されたピーク値のレベルがポジ画像の映像信号のブランキング・レベルとなるようにネガポジ反転し，ネガポジ反転された映像信号を出力することが好ましい。
【００３２】
これにより，ネガ・フィルムの種類に応じてピーク値を選択できるので，ネガ・フィルムの種類に応じて適正な明るさの再生画像を表示できる。
【００３３】
第４の発明の撮像装置は，ネガ画像を撮像し，ネガ画像を表わす映像信号を出力する撮像手段，上記撮像手段から出力される映像信号のピーク値を検出するピーク検波回路，映像信号におけるピーク値の目標レベルを設定するために操作される手動操作器，上記ピーク検波回路によって検出されたピーク値のレベルが上記手動操作器の操作によって設定された目標レベルになるように映像信号のレベルを調整するレベル調整手段，および上記レベル調整手段により調整された映像信号のピーク値のレベルがポジ画像の映像信号のブランキング・レベルになる様に，上記レベル調整された映像信号をネガポジ反転し，ネガポジ反転された映像信号を出力するネガポジ反転回路を備えていることを特徴とする。
【００３４】
第４の発明の撮像方法は，映像信号における検出されたピーク値の目標レベルを設定するために操作される手動操作器を設け，ネガ画像を撮像し，ネガ画像を表わす映像信号を得，撮像によって得られる映像信号のピーク値を検出し，検出されたピーク値のレベルが上記手動操作器の操作によって設定された目標レベルとなるように映像信号のレベルを調整し，調整された映像信号のピーク値のレベルがポジ画像の映像信号のブランキング・レベルになる様に，上記レベル調整された映像信号をネガポジ反転し，ネガポジ反転された映像信号を出力することを特徴とする。
【００３５】
第４の発明によると，手動操作器の操作に応じてピーク値のレベルが調整され，調整されたピーク値のレベルがポジ画像の映像信号のブランキング・レベルとなるようにネガポジ反転されるので，手動操作器の操作に応じた明るさの再生画像が得られる。
【００３６】
第４の発明によると，手動操作器によって映像信号における検出されたピーク値の目標レベルが設定され，その目標レベルになるように映像信号のレベルが調整される。調整された映像信号のピーク値のレベルがポジ画像の映像信号のブランキング・レベルになる様に映像信号をネガポジ反転するので，手動操作器の操作に応じた明るさの再生画像が得られる。
【００３７】
【実施例の説明】
図１は撮像装置の電気的構成を示すブロック図である。この撮像装置は，ネガ・フィルムのようなネガ画像の撮像およびポジ・フィルムのようなポジ画像の撮像のいずれの撮像もできる。撮像装置にはネガ／ポジ撮像設定スイッチ５４が含まれており，このネガ／ポジ撮像設定スイッチ５４によりネガ撮像またはポジ撮像が設定される。
【００３８】
まず，ネガ／ポジ撮像設定スイッチ５４によりポジ撮像が設定されたときの処理について述べる。
【００３９】
ポジ画像は撮像レンズ１１を介して，電子固体撮像素子２１上に結像する。
【００４０】
タイミング・パルス発生回路４２は制御装置４４から与えられるシャッタ制御信号によって制御され，水平転送信号Ｈ１，Ｈ２，リセット信号Ｒ，垂直転送信号Ｖ１〜Ｖ４および不要電荷の基板掃出し信号ＳＵＢを出力する。水平転送信号Ｈ１，Ｈ２およびリセット信号Ｒはタイミング・パルス発生回路４２から直接に，垂直転送信号Ｖ１〜Ｖ４および基板掃出し信号ＳＵＢはＶドライバ４１を介してそれぞれ電子固体撮像素子２１に与えられ，電子固体撮像素子２１からの映像信号の読出しが制御される。
【００４１】
電子固体撮像素子２１の各受光素子の前面には補色フィルタが設けられ，電子固体撮像素子２１からはシアン，マゼンタ，グリーンおよびイエローの補色信号が出力される。この信号は前置増幅回路２２およびＣＤＳ（相関二重サンプリング回路）２３を介して色分離回路２４に与えられる。色分離回路２４において，シアン，マゼンタ，グリーンおよびイエローの補色信号のうちのあらかじめ組合された２つの信号が混合され，２つの信号Ｓ１およびＳ２が出力される。これらの信号Ｓ１およびＳ２は補色原色変換回路２５に与えられる。補色原色変換回路２５において，補色信号の混合である信号Ｓ１およびＳ２が原色（赤Ｒ，緑Ｇ，青Ｂ）の色信号に変換される。補色原色変換処理において１ＨＣＣＤ３７が用いられるので，原色信号は１水平走査期間（１Ｈ）分遅延されることになる。原色信号Ｒ，Ｇ，Ｂは色バランス調整回路２６に与えられる。またＣＤＳ２３から出力される信号は輝度信号とほぼ等価と考えられるため，輝度信号Ｙとして色バランス調整回路２６に与えられる。
【００４２】
色バランス調整回路２６は，４つのＧＣＡ（ゲイン・コントロールド・アンプリファイア），すなわちＲ（赤）信号用のＧＣＡ２６Ｒ，Ｇ（緑）信号用のＧＣＡ２６Ｇ，Ｂ（青）信号用のＧＣＡ２６ＢおよびＹ（輝度）信号用のＧＣＡ２６Ｙから構成されている。Ｒ信号，Ｇ信号，Ｂ信号および輝度信号は，ＧＣＡ２６Ｒ，２６Ｇ，２６Ｂおよび２６Ｙにおいてその信号レベルがそれぞれ後述するように調整されて出力される。
【００４３】
ＧＣＡ２６Ｒ，２６Ｇおよび２６Ｂから出力されるＲ信号，Ｇ信号およびＢ信号はリニア・マトリスク回路２７Ｒ，２７Ｇおよび２７Ｂにそれぞれ与えられ色再現が良好となるようにそれぞれの信号レベルが調整される。リニア・マトリクス回路２７Ｒ，２７Ｇおよび２７Ｂから出力されるＲ信号，Ｇ信号およびＢ信号はピーク検波ブロック２８のピーク検波回路２８Ｒ，２８Ｇおよび２８Ｂにそれぞれ与えられる。
【００４４】
ＧＣＡ２６Ｙから出力される輝度信号は平均値算出回路３８およびピーク検波回路２８Ｙに与えられる。平均値算出回路３８は輝度信号の一定期間（たとえば一垂直走査期間１Ｖ）における平均レベルＹＡＶを検出する回路である。
【００４５】
ピーク検波回路２８Ｒ，２８Ｇ，２８Ｂおよび２８Ｙは，入力するＲ信号，Ｇ信号，Ｂ信号および輝度信号の一定期間（たとえば１Ｖ）におけるピーク・レベルＲＴＯＰ  ，ＧＴＯＰ  ，ＢＴＯＰ  およびＹＴＯＰ  をそれぞれ検出する回路である。ピーク検波回路２８Ｒ，２８Ｇ，２８Ｂおよび２８Ｙにおいて検出されたピーク・レベルＲＴＯＰ  ，ＧＴＯＰ  ，ＢＴＯＰ  およびＹＴＯＰ  を表わす信号は制御装置４４に与えられる。
【００４６】
図１に示す撮像装置では，ポジ撮影においてポジ画像に白色が含まれていないかどうかがＲ信号，Ｇ信号およびＢ信号のピーク値ＲＴＯＰ  ，ＧＴＯＰ  およびＢＴＯＰ  にもとづいて判断される。この判断結果により色バランス調整回路２６の動作が異なる。
【００４７】
まず，撮像したポジ画像に白色が含まれていないかどうかの判断について説明する。
【００４８】
撮像するポジ画像に白色が含まれている場合のＲ信号，Ｇ信号およびＢ信号のピーク・レベルＲＴＯＰ  ，ＧＴＯＰ  およびＢＴＯＰ  は，これらのピーク・レベルのうち最も高いピーク・レベルと最も低いピーク・レベルとの差が経験から定まる許容範囲内に収まる。これに対して撮像するポジ画像に白色が含まれていない場合には，撮像によって得られるＲ信号，Ｇ信号およびＢ信号のピーク・レベルＲＴＯＰ  ，ＧＴＯＰ  およびＢＴＯＰ  に大小があり，最も高いピーク・レベルと最も低いピーク・レベルとの差が経験から定まる許容範囲内に収まらない。
【００４９】
制御装置４４のメモリには，経験から定められる，この許容範囲が記憶されている。制御装置４４において，ピーク検波回路２８Ｒ，２８Ｇおよび２８Ｂにより得られるピーク・レベルＲＴＯＰ  ，ＧＴＯＰ  およびＢＴＯＰ  のうち最も高いピーク・レベルと最も低いピーク・レベルとの差が許容範囲内に収まるかどうかが判定され，許容範囲内に収まるときは撮像するポジ画像に白色が含まれており，許容範囲内に収まらないときには撮像するポジ画像に白色が含まれていないと判断される。
【００５０】
撮像したポジ画像に白色が含まれていないときには，Ｒ信号，Ｇ信号およびＢ信号のそれぞれのピーク・レベルＲＴＯＰ  ，ＧＴＯＰ  およびＢＴＯＰ  が白ピーク・レベルに関連し，Ｒ，ＧおよびＢの一組のかつ複数の所定値（たとえば白色が含まれているポジ画像をあらかじめ撮像したときに得られるＲ信号，Ｇ信号およびＢ信号のピーク・レベル，このレベルは制御装置４４のメモリにあらかじめ記憶されている，必ずしも複数のレベルを記憶する必要はない）のうち選択スイッチ５３により選択されたレベルになるようにＧＣＡ２６Ｒ，２６Ｇおよび２６Ｂの増幅率を制御するためのＥＶＲデータがＧＣＡ２６Ｒ，２６Ｇ，２６Ｂごとに生成され，これがＥＶＲ（電子ボリュウム）４５に与えられる。Ｒ信号，Ｇ信号およびＢ信号ごとにそれぞれ所定値を記憶し，選択スイッチ５３を用いて選択して組合わせるようにしてもよい。
【００５１】
ＥＶＲ４５は一種のディジタル／アナログ変換回路である。ＥＶＲ４５にはＧＣＡ２６Ｒ，２６Ｇ，２６Ｂおよび２６Ｙに対応して４つのＥＶＲが含まれている。制御装置４４から与えられるＥＶＲデータがデータによって表わされる値に対応するアナログ電圧信号にそれぞれ変換されて出力される。これらのアナログ電圧信号がゲイン制御信号としてＧＣＡ２６Ｒ，２６Ｇ，２６Ｂおよび２６Ｙにそれぞれ与えられ，ＧＣＡ２６Ｒ，２６Ｇ，２６Ｂおよび２６Ｙのゲインが制御される。これにより色バランス調整が行なわれる。輝度信号についてはＲ．Ｇ，Ｂのゲイン制御の前にそのピーク・レベルが調整され，制御される。
【００５２】
撮像したポジ画像に白色が含まれているときには，制御装置４４において，入力するピーク・レベルＲＴＯＰ  ，ＧＴＯＰ  およびＢＴＯＰ  のうち最も高いピーク・レベルをもつ色信号のピーク・レベルに他の色信号のピーク・レベルが一致するようにＧＣＡ２６Ｒ，２６Ｇおよび２６Ｂの増幅率を制御するためのＥＶＲデータがＧＣＡ２６Ｒ，２６Ｇ，２６Ｂごとに生成され，これがＥＶＲ（電子ボリュウム）４５に与えられる。ＥＶＲ４５から，ＥＶＲデータに応じたアナログ電圧信号にそれぞれ変換されて出力される。これらのアナログ電圧信号がゲイン制御信号としてＧＣＡ２６Ｒ，２６Ｇ，２６Ｂおよび２６Ｙにそれぞれ与えられ，ＧＣＡ２６Ｒ，２６Ｇ，２６Ｂおよび２６Ｙのゲインが制御される。これにより色バランス調整が行なわれる。
【００５３】
さらに制御装置４４において，入力した輝度信号の平均レベルＹＡＶおよびピーク・レベルＹＴＯＰ  にもとづいて被写体が適正露光となるようにシャッタ速度が定められる。定められたシャッタ速度に応じたシャッタ制御信号が生成されタイミング・パルス発生回路４２に与えられる。タイミング・パルス発生回路４２において，このシャッタ制御信号にもとづいて上述のように水平転送信号Ｈ１，Ｈ２，垂直転送信号Ｖ１〜Ｖ４が生成され，電子固体撮像素子２１からの信号の読出しが制御される。
【００５４】
ピーク検波回路２８Ｒ，２８Ｇ，２８Ｂおよび２８Ｙに入力するＲ信号，Ｇ信号，Ｂ信号および輝度信号はそのまま出力されてピーク付加回路２９Ｒ，２９Ｇ，２９Ｂおよび２９Ｙにそれぞれ入力する。
【００５５】
ネガ／ポジ撮像設定スイッチ５４によって設定されたネガ撮影またはポジ撮影を表わす信号Ｐ／Ｎが制御装置４４からピーク付加回路２９Ｒ，２９Ｇ，２９Ｂおよび２９Ｙならびにピーク置き換え回路３０Ｒ，３０Ｇ，３０Ｂおよび３０Ｙにそれぞれ与えられる。ポジ撮影の場合は，Ｒ信号，Ｇ信号，Ｂ信号および輝度信号はピーク付加回路２９Ｒ，２９Ｇ，２９Ｂおよび２９Ｙならびにピーク置き換え回路３０Ｒ，３０Ｇ，３０Ｂおよび３０Ｙをそのまま通過し，ガンマ補正回路３１Ｒ，３１Ｇ，３１Ｂおよび３１Ｙにそれぞれ与えられて，ガンマ補正が行なわれる。
【００５６】
ガンマ補正されたＲ信号，Ｇ信号，Ｂ信号および輝度信号のうち，ガンマ補正回路３１Ｒ，３１Ｇおよび３１Ｂから出力されるＲ信号，Ｇ信号およびＢ信号は，ネガポジ反転回路３３Ｒ，３３Ｇおよび３３Ｂに与えられる。
【００５７】
ガンマ補正回路３１Ｙにおいてガンマ補正された輝度信号は，１ＨＣＣＤ３２に与えられて１水平走査期間遅延されてネガポジ反転回路３３Ｙに与えられる。Ｒ信号，Ｇ信号およびＢ信号は，補色原色変換処理のときに１ＨＣＣＤ３７において１水平走査期間遅延されているので，輝度信号はＲ信号，Ｇ信号およびＢ信号に比べて１水平走査期間進んでいる。輝度信号は１ＨＣＣＤ３２により１水平走査期間遅延されるので，Ｒ信号，Ｇ信号およびＢ信号と同じ水平走査線上の画像を表わすものとなる。
【００５８】
ネガ／ポジ撮像設定スイッチ５４によって選択されたネガ撮影またはポジ撮影を表わす信号が，制御装置４４に与えられる。選択されたネガ撮影またはポジ撮影を表わす信号Ｐ／Ｎが，制御装置４４からネガポジ反転回路３３Ｒ，３３Ｇ，３３Ｂおよび３３Ｙにそれぞれ与えられる。
【００５９】
ポジ撮影が設定されているときであるから，Ｒ信号，Ｇ信号，Ｂ信号および輝度信号は，ネガポジ反転回路３３Ｒ，３３Ｇ，３３Ｂおよび３３Ｙからそのまま出力されエンコーダ３４に与えられる。
【００６０】
ＳＳＧ（同期信号発生回路）４３にはタイミング・パルス発生回路４２から水平同期信号ＨＤ，垂直同期信号ＶＤ，所定の周波数をもつクロック信号ＣＫが与えられている。ＳＳＧ４３では入力するこれらの信号にもとづいて，コンポジット・ブランキング信号ＣＢＬＫ等を生成し，エンコーダ３４に与える。
【００６１】
エンコーダ３４において，ＳＳＧ４３から与えられるコンポジット・ブランキング信号ＣＢＬＫ等ならびにＲ信号，Ｇ信号，Ｂ信号および輝度信号からＮＴＳＣ映像信号が生成される。生成されたＮＴＳＣ映像信号は増幅回路３５によって増幅されて出力される。エンコーダ３４においては同期信号を含んだ輝度信号Ｙ＋Ｓおよび色信号Ｃも生成され，増幅回路３６Ａおよび３６Ｂにおいて増幅されて出力されることになる。
【００６２】
これらＮＴＳＣ映像信号または同期信号を含んだ輝度信号および色信号Ｙ＋Ｃは，テレビジョン装置に与えられ，ポジ・フィルムに写っている画像が表示される。
【００６３】
次にネガ／ポジ撮像設定スイッチ５４によりネガ撮像が設定されたときの処理について述べる。ネガ撮像が設定されたときの処理においては，ポジ撮像が設定されたときの処理との相違点について主として述べる。
【００６４】
ピーク検波回路２８Ｒ，２８Ｇおよび２８Ｂにおいて検出されたピーク・レベルＲＴＯＰ  ，ＧＴＯＰ  およびＢＴＯＰ  にもとづいて色バランス調整回路２６において色バランス調整が行なわれるのはポジ撮像が設定されているときと同じである。
【００６５】
ピーク検波回路２８Ｒ，２８Ｇ，２８Ｂおよび２８Ｙに入力するＲ信号，Ｇ信号，Ｂ信号および輝度信号はそのまま出力されてピーク付加回路２９Ｒ，２９Ｇ，２９Ｂおよび２９Ｙにそれぞれ与えられる。またピーク検波回路２８Ｒ，２８Ｇ，２８Ｂおよび２８Ｙで検出されたピーク・レベルは対応するピーク付加回路２９Ｒ，２９Ｇ，２９Ｂおよび２９Ｙにそれぞれ与えられる。ピーク付加回路２９Ｒ，２９Ｇ，２９Ｂおよび２９Ｙはそれぞれ，入力するＲ信号，Ｇ信号，Ｂ信号および輝度信号の水平ブランキング期間ＢＬＫの一部に，入力するピーク・レベルＲＴＯＰ  ，ＧＴＯＰ  ，ＢＴＯＰ  およびＹＴＯＰ  をもつパルス信号を重畳することにより付加する。水平ブランキング期間の一部にパルス信号が重畳された映像信号の一例が図２（Ａ）  に示されている。
【００６６】
ピーク付加回路２９Ｒ，２９Ｇ，２９Ｂおよび２９Ｙから出力されるＲ信号，Ｇ信号，Ｂ信号および輝度信号は，ピーク置き換え回路３０Ｒ，３０Ｇ，３０Ｂおよび３０Ｙにそれぞれ与えられる。ピーク置き換え回路３０Ｒ，３０Ｇ，３０Ｂおよび３０Ｙはネガ画像に黒色が含まれていないと判断されたときに水平ブランキング期間ＢＬＫに重畳されたパルス信号のピーク・レベルを調整する回路である。ネガ画像に黒色が含まれていると判断されたときには，水平ブランキング期間ＢＬＫに重畳されたパルス信号のピーク・レベル調整は行なわれない。
【００６７】
ピーク・レベル調整は，オート調整とマニュアル調整とがありオート／マニュアル設定ボタン５２の設定によりいずれかが選択される。オート／マニュアル設定ボタン５２によりオート調整が設定されると，その設定を表わす信号は制御装置４４に与えられ，制御装置４４から出力される切替制御信号によって切替スイッチ４６はａ端子側が導通状態とされる。
【００６８】
制御装置４４のメモリには，水平ブランキング期間ＢＬＫに重畳されたパルス信号のピーク・レベルを調整するためのデータが記憶されている。このデータはネガ画像の種類に応じてＲ信号，Ｇ信号およびＢ信号の一組ごとに複数記憶されている。たとえば，黒ピーク・レベルであると経験的に認められる固有の規定ピーク値のデータ，図３に示すようにネガ・フィルムＮＦの空駒７１または撮像駒間７２などの非露光領域をあらかじめ撮像して得られる映像信号のピーク・レベルのデータなどである。Ｒ信号，Ｇ信号およびＢ信号のピーク・レベルを調整するためのデータをＲ信号，Ｇ信号およびＢ信号ごとにメモリに記憶し，選択スイッチ５３によりそれらの組合わせを選択するようにしてもよい。
【００６９】
制御装置４４のメモリに記憶されているＲ信号，Ｇ信号およびＢ信号の一組のデータが選択スイッチ５３により選択される。選択されたデータは制御装置４４に含まれるディジタル／アナログ変換回路（図示略）においてアナログ電圧信号に変換されて出力される。このアナログ電圧信号は切替スイッチ４６を介してピーク置き換え回路３０Ｒ，３０Ｇ，３０Ｂおよび３０Ｙに与えられる。これにより図２（Ｂ）  に示すように，ピーク付加回路２９Ｒ，２９Ｇ，２９Ｂおよび２９ＹにおいてＲ信号，Ｇ信号，Ｂ信号および輝度信号の水平ブランキング期間ＢＬＫに重畳されたパルス信号のピーク・レベルが，制御装置４４から与えられるアナログ電圧信号のピーク・レベルに置き換えられる。
【００７０】
制御装置４４のメモリに，黒ピーク・レベルの，たとえば１／４程度のレベルのパルス信号のデータを記憶しておき，ピーク検波回路２８Ｒ，２８Ｇ，２８Ｂおよび２８Ｙから与えられるピーク・レベルＲＴＯＰ  ，ＧＴＯＰ  ，ＢＴＯＰ  およびＹＴＯＰ  を表わすデータを記憶しているデータと加算し，この加算したデータをディジタル／アナログ変換してピーク置き換え回路３０Ｒ，３０Ｇ，３０Ｂおよび３０Ｙに与えてもよい。
【００７１】
水平ブランキング期間ＢＬＫに重畳されたパルス信号のピーク・レベルを置き換えるためのデータを制御装置４４のメモリに複数種類記憶しておく必要は必ずしもなく，１種類のみのデータを記憶するようにしてもよい。またネガ画像に黒色が含まれていないと判断されるときにのみ，水平ブランキング期間に重畳されたパルス信号のピーク・レベルが置き換えられているが，この判断をせずに，ネガ／ポジ撮像設定スイッチ５４によりネガ画像の撮像が設定されたときには常にパルス信号のピーク・レベルの置き換え処理を行なうようにしてもよい。
【００７２】
オート・マニュアル設定ボタン５２の設定によりマニュアル調整が設定されると，制御装置４４から出力される切替制御信号によって切替スイッチ４６はｂ端子側が導通状態とされる。
【００７３】
撮像装置にはマニュアル調整ボリュウム５０が含まれている。マニュアル調整ボリュウム５０はつまみ５０Ａとこのつまみ５０Ａの操作位置に応じて抵抗値が変化する可変抵抗器５０Ｂとから構成される。可変抵抗器５０Ｂには，電圧＋Ｖ［Ｖ］が与えられており，抵抗値の変化に対応したアナログ電圧信号が切替スイッチ４６のｂ端子に与えられる。
【００７４】
これにより，つみま５０Ａの操作位置に応じたアナログ電圧信号がピーク置き換え回路３０Ｒ，３０Ｇ，３０Ｂおよび３０Ｙに与えられ，Ｒ信号，Ｇ信号，Ｂ信号および輝度信号の水平ブランキング期間ＢＬＫに重畳されたそれぞれのパルス信号のピーク・レベルが，つまみ５０Ａの操作位置に応じて生じるアナログ電圧信号のピーク・レベルに置き換えられる。
【００７５】
ピーク置き換え回路３０Ｒ，３０Ｇ，３０Ｂおよび３０Ｙから出力されるＲ信号，Ｇ信号，Ｂ信号および輝度信号は，ガンマ補正回路３１Ｒ，３１Ｇ，３１Ｂおよび３１Ｙに与えられガンマ補正が行なわれる。
【００７６】
ガンマ補正回路３１Ｒ，３１Ｇおよび３１Ｂから出力されるＲ信号，Ｇ信号およびＢ信号は，ネガポジ反転回路３３Ｒ，３３Ｇおよび３３Ｂに与えられる。ガンマ補正回路３１Ｙにおいてガンマ補正された輝度信号は，１ＨＣＣＤ３２に与えられて１水平走査期間遅延されてネガポジ反転回路３３Ｙに与えられる。
【００７７】
ネガ／ポジ撮像選択スイッチ５４により，ネガ撮影が設定され，ネガ画像の黒色が含まれていないと判断されたときには，ネガ画像のＲ信号，Ｇ信号，Ｂ信号および輝度信号のメモリにあらかじめ記憶されているピーク・レベルまたはマニュアル調整ボリュウム５０の調整に応じたピーク・レベルがポジ変換後のブランキング・レベルとなる様に，ネガポジ反転回路３３Ｒ，３３Ｇ，３３Ｂおよび３３Ｙにおいて，Ｒ，Ｇ，Ｂ信号および輝度信号が反転される（図２（Ｃ）  参照）。
【００７８】
ネガ／ポジ撮像選択スイッチ５４により，ネガ撮影が設定され，ネガ画像の黒色が含まれていると判断されたときには，ネガ画像のＲ信号，Ｇ信号，Ｂ信号および輝度信号のピーク・レベル（これらのピーク・レベルはピーク付加回路２９Ｒ，２９Ｇ，２９Ｂおよび２９Ｙにおいて対応する信号に付加されている）がポジ変換後のブランキング・レベルとなる様に，ネガポジ反転回路３３Ｒ，３３Ｇ，３３Ｂおよび３３Ｙにおいて，Ｒ，Ｇ，Ｂ信号および輝度信号が反転される。
【００７９】
ネガポジ反転回路３３Ｒ，３３Ｇ，３３Ｂおよび３３Ｙから出力されるＲ信号，Ｇ信号，Ｂ信号および輝度信号はエンコーダ３４に与えられ，ＮＴＳＣ映像信号，同期信号を含んだ輝度信号Ｙ＋Ｓおよび色信号Ｃが出力される。
【００８０】
次に，撮像するネガ画像に黒色が含まれているかどうかの判断処理について説明する。
【００８１】
黒色を表わす部分のＲ信号，Ｇ信号，Ｂ信号および輝度信号のピーク・レベルは等しい。このため色差信号Ｒ−ＹおよびＢ−Ｙを考えたとき，黒色を表わす色差信号Ｒ−ＹおよびＢ−Ｙのそれぞれのレベルはほぼ零に近くなる。したがって色差信号Ｒ−ＹおよびＢ−Ｙのレベルをそれぞれ計測し，これらのレベルがそれぞれほぼ零とみなせるときは被写体としてのネガ画像に黒色が含まれていると判断できる。
【００８２】
図１に示す撮像装置では，エンコーダ３４において色差信号Ｂ−ＹおよびＲ−Ｙがそれぞれ生成されて出力される。エンコーダ３４から出力される色差信号Ｒ−ＹおよびＢ−Ｙは，レベル・チェック回路６１および６２に与えられる。図４（Ａ）  ，（Ｂ）  および（Ｃ）  に，輝度信号，色差信号Ｒ−ＹおよびＢ−Ｙの信号波形が示されている。
【００８３】
レベル・チェック回路６１および６２において，制御装置４４から与えられるチェック・タイミング信号にもとづいて輝度信号のピーク・レベルＹＴＯＰ  の部分における色差信号Ｒ−ＹおよびＢ−Ｙのレベル・チェックが行なわれる。このレベル・チェックを表わす信号が制御装置４４に与えられる。
【００８４】
色差信号Ｒ−ＹおよびＢ−Ｙのいずれのレベルもほぼ零とみなせれば，これらの色差信号Ｒ−ＹおよびＢ−Ｙが表わす部分は黒色であり，撮像しているネガ画像に黒色が含まれていると判断される。
【００８５】
また，撮像するネガ画像に黒色が含まれているかどうかを判断する方法には上述の方法のほか，次のような方法もある。
【００８６】
Ｒ信号，Ｇ信号，Ｂ信号および輝度信号のピーク・レベルの位置がすべて等しいときには，その位置に黒色がある。したがってＲ信号，Ｇ信号，Ｂ信号および輝度信号のピーク・レベルの位置を検出し，それらの位置がすべて等しいかどうかを検出することにより撮像したネガ画像に黒色が含まれているかどうかを判断できる。
【００８７】
さらに，次のような方法により撮像するネガ画像に黒色が含まれているかどうかを判断することもできる。
【００８８】
変調した色信号において，撮像したネガ画像に黒色が含まれているときは，輝度信号のピーク位置にはサブ・キャリアが含まれていず，撮像したネガ画像に黒色が含まれていないときには，輝度信号のピーク位置にサブ・キャリアが含まれている。したがって，輝度信号のピーク位置にサブ・キャリアが含まれているかどうかを検出することにより，撮像したネガ画像に黒色が含まれているかどうかを判断することができる。
【００８９】
さらにポジ撮像において，ポジ画像に白色が含まれているかどうかの判断と同様にして，Ｒ信号，Ｇ信号およびＢ信号のピーク・レベルＲＴＯＰ  ，ＧＴＯＰ  およびＢＴＯＰ  のうちの最も大きなピーク・レベルと最も小さなピーク・レベルとの差の大きさにもとづいてネガ画像に黒色が含まれているかどうかの判断もできる。
【図面の簡単な説明】
【図１】この発明の実施例を示すもので，撮像装置の電気的構成を示すブロック図である。
【図２】（Ａ）  〜（Ｃ）  は図１に示す撮像装置の各ブロックにおける入，出力信号の波形図である。
【図３】ネガ・フィルムの一例を示している。
【図４】（Ａ）  は輝度信号の一例を，（Ｂ）  はＲ−Ｙの色差信号の一例を，（Ｃ）  はＢ−Ｙの色差信号の一例を示している。
【符号の説明】
２１  電子固体撮像素子
２６  色バランス調整回路
２６Ｒ，２６Ｇ，２６Ｂ，２６Ｙ  ＧＣＡ
２８Ｒ，２８Ｇ，２８Ｂ，２８Ｙ  ピーク検波回路
３０Ｒ，３０Ｇ，３０Ｂ，３０Ｙ  ピーク置き換え回路
４４  制御装置
【図１】
0003609116.tif 000002
【図２】
0003609116.tif 000003
【図３】
0003609116.tif 000004
【図４】
0003609116.tif 000005